(57)【特許請求の範囲】
【請求項１】
包装材で個別に包装された物品を収納して販売するためのカートンであって、底面パネルの前後に前面パネルと背面パネルがそれぞれ折線を介して連設され、背面パネルにはその上辺に上面パネルと折返しパネルが折線を介して順に連設されてなる展開形状のブランクを組み立てて形成されており、折返しパネルは可動部分を有し、その可動部分は、底辺の折線で折曲げが可能な可動片と、その両サイドに折線を介して連設する起立片と、各起立片にそれぞれ折線を介して連設するスライド片とからなり、蓋として開けるための開閉領域が上面パネルに破断線により区画されており、その開閉領域の裏側に中身の物品を出した後の包装材を差し込むためのゴミ収納部が設けられており、ゴミ収納部は、折返しパネルの可動部分と上面パネルの開閉領域との隙間で構成されていることを特徴とするカートン。
【請求項２】
ゴミ収納部を開閉可能としたことを特徴とする請求項１に記載のカートン。
【発明の詳細な説明】
【技術分野】
【０００１】
本発明は、板紙等からなるカートンの技術分野に属し、詳しくは、菓子類を始めとして、各種生活用品等の物品を収納して販売する際に好適に用いられるカートンに関するものである。
【背景技術】
【０００２】
従来、菓子類等を入れて販売するための板紙製のカートンとして、サック貼りしたブランクを角筒状に起こし、一方の開口を閉じてからもう一方の開口より内容物を充填して閉じることで箱型とするシールエンド型のものが多く利用されている。このタイプのカートンは、内容物を取り出すための開封機構として、開封部分に帯状のジッパーを設けたものや、胴部を周回する帯状のジッパーを設けたものがあり、特に、上面パネルを大きく開けることができ、また再封できるようにするため、前面パネルに設けた摘み部から破断線に沿って上面パネルの一部を蓋として大きく開封し、閉じる際には摘み部を前面パネルのスリットに係止するようにしたタイプが多く用いられている。
【０００３】
【特許文献１】特開平８−１１８６９号公報
【特許文献２】特開平９−１９３９２６号公報
【特許文献３】特開２００１−１３９０２５号公報
【発明の開示】
【発明が解決しようとする課題】
【０００４】
上記したカートンは、テーブル等の上に横置きし、上面パネルの一部を蓋として開封できるので、チョコレートやクッキーなどの小さな菓子類を複数個収納して販売する場合に利用されることが多い。ところが、包装材により個別に包装された菓子類を収納する形態では、包装材から中身の菓子類を出した後にその包装材が残ることになり、近くにゴミ箱があればそこに捨てればよいが、ゴミ箱がない場合には捨てることができずに困るといった問題がある。特に屋外の場合には公共マナーの問題もあるので、取り敢えずポケットに突っ込んでおくような事態にもなっている。ゴミとなる使用済みの包装材を取り敢えずカートンの中に戻しておくことも考えられるが、新しいものがゴミと一緒になって感じが悪い上に、まだ食べていないものを取り出す際に邪魔になってしまう。
【０００５】
本発明は、このような問題点に鑑みてなされたものであり、その目的とするところは、中身の物品を取り出した後の包装材をゴミとして捨てることなく片づけることができるカートンを提供することにある。
【課題を解決するための手段】
【０００６】
上記の目的を達成するため、本発明のカートンは、包装材で個別に包装された物品を収納して販売するためのカートンであって、底面パネルの前後に前面パネルと背面パネルがそれぞれ折線を介して連設され、背面パネルにはその上辺に上面パネルと折返しパネルが折線を介して順に連設されてなる展開形状のブランクを組み立てて形成されており、折返しパネルは可動部分を有し、その可動部分は、底辺の折線で折曲げが可能な可動片と、その両サイドに折線を介して連設する起立片と、各起立片にそれぞれ折線を介して連設するスライド片とからなり、蓋として開けるための開閉領域が上面パネルに破断線により区画されており、その開閉領域の裏側に中身の物品を出した後の包装材を差し込むためのゴミ収納部が設けられており、ゴミ収納部は、折返しパネルの可動部分と上面パネルの開閉領域との隙間で構成されていることを特徴としている。
【発明の効果】
【０００７】
本発明のカートンは、中身の物品を出した後の包装材を蓋の裏側にあるゴミ収納部に差し込んでおくことができるので、近くにゴミ箱がないようなときでも、その辺に捨てることなく片づけることができる。そして、包装材を入れるゴミ収納部は蓋の裏側に設けてあるので、包装材をカートンに収納しても新しいものと混ざることがないことから、見苦しくなることがなく、次の新しいものを取り出す際に邪魔になるようなこともない。また、ゴミ収納部に入れた包装材はカートンとともに捨てることができるので廃棄が簡単となる。
【０００８】
そして、ゴミ収納部を開閉可能な構成とすることにより、包装材が入れやすくなる上に多くの包装材を収納することができる。
【発明を実施するための最良の形態】
【０００９】
次に、本発明の実施の形態について図面を参照しながら詳細に説明する。
【００１０】
図１は本発明に係るカートンの一例を示す斜視図、図２は図１に示すカートンを組み立てるブランクの展開図である。
【００１１】
図２のブランクは、紙器用の板紙を打ち抜いて形成された一枚もので、図示のように全体としては、底面パネル１の前後に前面パネル２と背面パネル３がそれぞれ折線を介して連設され、背面パネル３にはその上辺に上面パネル４と折返しパネル５が折線を介して順に連設され、前面パネル２にはその上辺に上面内側パネル６が折線を介して連設された展開形状になっている。
【００１２】
上面パネル４には、背面パネル３寄りの折線ａとその両端から折返しパネル５に向けて延びる互いに平行な２本の破断線ｂとによって大きな矩形状の開閉領域４ａが区画されている。そして、折返しパネル５には、上面パネル４の破断線ｂの延長線上に形成された２本の切線ｃとそれらの先端を結ぶ破断線ｄとによって、上面パネル４の開閉領域４ａの裏面側に重なる開閉裏側領域５ａが区画されている。また、この開閉裏側領域５ａの破断線ｄの中程には外側に突き出る円弧状の切線ｅが形成されている。
【００１３】
折返しパネル５の開閉裏側領域５ａは、山のような形をした可動部分５０を中央に有している。この可動部分５０は、底辺の折線ｆのところで折曲げが可能な台形状の可動片５１と、その両サイドに折線ｇを介して連設する三角状の起立片５２と、各起立片５２にそれぞれ折線ｈを介して連設する三角状のスライド片５３とからなる。そして、可動片５１の上辺には指先サイズの凹部５１ａが設けられ、その上辺に隣接するところには開口が形成されており、スライド片５３の斜辺先端には係止部５３ａが設けられ、斜辺に隣接することろには開口が形成されている。また、この開閉裏側領域５ａには、上面パネル４側にその境界にある折線をヒンジとする横に長い係止片５４が区画されており、その境界の折線の中程には係止片５４側に突き出る直線状の切線ｉが形成されている。
【００１４】
上面内側パネル６には、折返しパネル５と重なったときに折返しパネル５の可動部分５０における可動片５１を露出させるサイズの開口６ａが中央に形成されており、その開口６ａの両サイドには、折返しパネル５の可動部分５０における起立片５２及びスライド片５３を覆うサイズの固定板６ｂがツナギのある切線ｊにより区画されている。また、開口６ａの先端寄りには、折返しパネル５における開閉裏側領域５ａの破断線ｄの中程に設けた円弧状の切線ｅに対応する位置に円弧状の揺動片６ｃが設けられている。そして、上面内側パネル６と前面パネル２との境界にある折線のところには、折返しパネル５の開閉裏側領域５ａに区画された係止片５４に対応する位置に切線ｋが形成されている。
【００１５】
また、底面パネル１の左右にそれぞれ折線を介して側面内側パネル７が連設され、上面外側パネル４の左右にそれぞれ折線を介して側面外側パネル８が連設され、前面パネル２の左右にそれぞれ折線を介して折込みフラップ９が連設され、背面パネル３の左右にそれぞれ折線を介して折込みフラップ１０が連設されている。
【００１６】
上記のブランクを組み立てるには、まずサック貼り状態とする。具体的には、図２に点線で示す如く折返しパネル５の裏面側に接着剤を塗布し、その折返しパネル５を上面パネル４に対して内側に折り返して貼り合わせる。次に、底面パネル１に対して前面パネル２及び上面内側パネル６を内側に折り返して図３に示す状態とする。次いで、図３に点線で示す位置に接着剤を塗布し、背面パネル３、底面パネル１、前面パネル６及び上面内側パネル５に対して上面パネル４及び折返しパネル５を内側に折り返して貼り合わせる。
【００１７】
そして、充填工程において、このサック貼りしたブランクを角筒状に起こし、胴部の一方を閉じて内容物を投入してから他方を閉じる。その閉じる順序は両方とも同じである。すなわち、まず折込みフラップ９，１０を折り曲げてから、それらの上に被さるように側面内側パネル７と側面外側パネル８を順次折り曲げて貼り合わせる。これにより、図１に示すカートンが形成される。
【００１８】
図１に示すカートンを開封するには、図示の如く上面パネル４と折返しパネル５との間に形成された切線ｉにより開閉領域４ａの先端に突片４ｂが形成されているので、ここに指先を引っ掛けて上面パネル４の開閉領域４ａを持ち上げ、破断線ｂのツナギ部分を破断する。このとき、開閉領域４ａは、その裏側に、折返しパネル５の開閉裏側領域５ａと、上面内側パネル６の固定板６ｂとがくっ付いた状態で蓋として開封される。すなわち、上面内側パネル６は、その固定板６ｂが、開閉裏側領域５ａにおける可動部分５０以外のところで貼り合わせられているので、開閉領域４ａとこれに貼り合わせられた開閉裏側領域５ａとを持ち上げると、図４に示すように、固定板６ｂは切線ｊのツナギが破断されて上面内側パネル６から離れ、上面内側パネル６には、中央の開口６ａと固定板６ｂが除去された左右の開口部分とが合わさった大きな開口６ｃが形成される。また、開閉裏側領域５ａは、破断線ｄのところで分離され、蓋の部分が開けやすくなる。
【００１９】
このように開封すると、破断線ｄのところにある切線ｅにより、開閉裏側領域５ａの下側に円弧状の突片５ｂが形成され、この突片５ｂは、上面内側パネル６の開口６ａに設けられた揺動片６ｃの上に載って係止状態となるので、蓋は開いた状態を維持することができる。そして、閉じるときは、この突片５ｂと揺動片６ｃの係止を外せばよい。また、開封すると、開閉裏側領域５ａに区画された係止片５４が開閉領域４ａの先端に現れるので、蓋をするときは、この係止片５４を前面パネル２と上面内側パネル６の境界にある切線ｋに差し込んで閉じることができる。
【００２０】
図１のカートンは、主に軟包装材からなる包装材で個別に包装されたチョコレートやクッキー等の小さな菓子類を収納して販売形態とされる。したがって、消費者がカートンを開封して個包装された菓子類を取り出し、その中身を食べるために包装材から菓子類をさらに取り出すとその包装材が残ることになるが、このカートンは、図４に示すように、開閉領域４ａの裏側に開閉裏側領域５ａの可動部分５０によりゴミ収納部が形成されているので、そこに包装材を差し込んでおくことができる。
【００２１】
ゴミ収納部は、折返しパネル５の開閉裏側領域５ａにおける可動部分５０と上面パネル４の開閉領域４ａとの隙間で構成されている。そして、可動片５１の左右にある起立片５２とスライド片とが、それぞれ上面内側パネル６から分離した固定板６ｂにより摺動可能に覆われた状態になっているので、図５に示すように、可動片５１の凹部５１ａに指先を引っ掛けて引っ張ることで、斜めに開けることができる。この場合、起立片５２が立った時点でスライド片５３の係止部５３ａがストッパーの役目を果たし、可動部分５０は図５に示す開状態となる。消費者は、可動部分５０をこのような開状態とすることにより包装材を簡単にかつ多くの量を入れることができる。また、可動片５１を指先で押すことにより、起立片５２とスライド片５３が元の状態に戻り、図４に示す閉状態とすることができる。
【００２２】
このように、本発明のカートンは、菓子類等を包んでいた包装材を捨てることなく、蓋の裏側にあるゴミ収納部に包装材を入れておくことができる。そして、ゴミ収納部に入れた使用済みの包装材は、カートンとともに捨てればよいことになる。
【００２３】
以上、本発明の実施の形態について詳細に説明してきたが、本発明によるカートンは、上記実施の形態に何ら限定されるものではなく、本発明の趣旨を逸脱しない範囲において種々の変更が可能であることは当然のことである。
【図面の簡単な説明】
【００２４】
【図１】本発明に係るカートンの一例を示す斜視図である。
【図２】図１に示すカートンを組み立てるブランクの展開図である。
【図３】ブランクを組み立てる途中の状態で示す平面図である。
【図４】図１のカートンを開封した状態で示す斜視図である。
【図５】開封したカートンにおけるゴミ収納部を開けた状態で示す斜視図である。
【符号の説明】
【００２５】
１  底面パネル
２  前面パネル
３  背面パネル
４  上面パネル
４ａ  開閉領域
５  折返しパネル
５ａ  開閉裏側領域
５０  可動部分
５１  可動片
５１ａ  凹部
５２  起立片
５３  スライド片
５３ａ  係止部
５４  係止片
６  上面内側パネル
６ａ  開口
６ｂ  固定板
６ｃ  揺動片
７  側面内側パネル
８  側面外側パネル
９，１０  折込みフラップ
【図１】
0005422893.tif 000002
【図２】
0005422893.tif 000003
【図３】
0005422893.tif 000004
【図４】
0005422893.tif 000005
【図５】
0005422893.tif 000006